(57)【要約】【課題】制御基板に対する不正行為の予防及び早期発見を可能とする構成の基板ケースユニットを提供する。【解決手段】主制御基板ケースユニット１００において、ケース本体１２０は本体側結合部１２４を有し、ケース蓋１３０は本体側結合部１２４に近接対向する蓋側結合部１３４を有し、封印シールカッター１６０は、本体側結合部１２４と蓋側結合部１３４との間に介装されて本体側結合部１２４と蓋側結合部１３４とに固着されるカッター側結合部１６６を有し、本体側結合部１２４は、外部から破壊可能に形成されて当該本体側結合部１２４の本体側固着部１２４ｃとケース本体１２０とを分断させ得る破壊部を有して構成される。【選択図】図１８
2014000109.tif 000002
【特許請求の範囲】
【請求項１】
第１ケース部材及び前記第１ケース部材に対して開閉可能に取り付けられる第２ケース部材を備え、前記第１ケース部材に対して前記第２ケース部材を開閉移動方向における閉止方向に相対移動させて閉止状態で保持され、当該閉止状態で形成されるケース内部に制御基板を収容する基板ケースユニットであって、
前記第１ケース部材に貼着されて前記ケース内部に配設される封印シールと、
前記封印シールが貼着された状態の前記第１ケース部材の所定位置に着脱自在に取り付けられて、前記第１ケース部材に対して前記第２ケース部材を開閉移動方向における開放方向に相対移動させて開放状態とするときに前記第１ケース部材から離間して前記第２ケース部材と協働して前記封印シールを破壊するシール破壊部材と、を備え、
前記第１ケース部材は、第１結合部を有し、
前記第２ケース部材は、前記第１ケース部材に前記第２ケース部材を閉止して取り付けたときに前記第１結合部に近接対向する第２結合部を有し、
前記シール破壊部材は、前記第１ケース部材に前記第２ケース部材を閉止して取り付けたときに前記第１結合部と前記第２結合部との間に介装されて、前記第１結合部と前記第２結合部とに固着される第３結合部を有し、
前記第１結合部は、外部から破壊可能に形成されて当該第１結合部の前記固着部と前記第１ケース部材とを分断させ得る破壊部を有して構成されることを特徴とする基板ケースユニット。
【請求項２】
前記第１結合部及び前記第３結合部は、それぞれ板状に形成され、
前記第２結合部は、前記第１ケース部材に前記第２ケース部材を閉止して装着したときに、前記第１結合部及び前記第３結合部と対向する側に開口して前記第１結合部及び前記第３結合部を受容可能な箱状に形成されていることを特徴とする請求項１に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。このような不正行為を防止して公正な遊技に供するため、制御基板は、ともに透明な樹脂材料を用いて形成されたケース本体とその前方に開閉可能に装着されるケース蓋とからなる基板ケース内に収容され、ケース本体に対してケース蓋を閉止状態で装着したときに、ケース本体の側に形成した係合部とケース蓋の側に形成した係合部とが係合連結して基板ケースを閉止状態にロックし、ケース蓋（もしくはケース本体）とその係合部との間を繋ぐ連結部をニッパ等の工具を用いて切り離さない限り基板ケースを開放不能にするカシメ構造が設けられている（例えば、特許文献１を参照）。
【０００３】
また、遊技機の固有情報や、制御基板の識別情報等を記憶させた無線読み取り可能なＩＣタグを有した封印シールをケース本体及びケース蓋の境界を跨ぐように貼着してこれを外方からシールカバー部材で包囲し、基板ケースを封印することも知られている（例えば、特許文献２を参照）。このように封印シールを用いると、制御基板を基板ケース内に収容してカシメ構造により閉止保持するだけでなく、基板ケースを開放するために封印シールを剥がそうとすると封印シールが破断され、目視によりその破断箇所の確認が出来ると共に、リーダ等によってＩＣタグの格納情報を読み取ることが出来なくなるので、基板ケースに対する不正なアクセスがあった場合の痕跡をより明瞭に残すことができる。
【０００４】
このように封印シールは、カシメ構造と共に基板ケースの不正開放対策に資することができるが、これが巧妙化した手口により不正に剥がされて（例えば、剥離剤を用いて剥がされて）再使用されると、基板ケースそのものを交換するような不正行為を却って発見しにくくなる。そのため、封印シールを外方から包囲するシールカバー部材に封印シールを破壊するための破壊突起を設けて、基板ケースを開放する際にシールカバー部材を外した時点で封印シールが復旧不能な程度に破壊される構成が提案されている（例えば、特許文献３を参照）。
【先行技術文献】
【特許文献】
【０００５】
【特許文献１】特開２００４−６５２８０号公報
【特許文献２】特開２００９−２６１６４０号公報
【特許文献３】特開２０１０−１７８９０３号公報
【発明の概要】
【発明が解決しようとする課題】
【０００６】
ところが、基板ケースが不正に開放された場合に、ケース本体及びケース蓋のうちの少なくとも一方のケース部材に破壊された痕跡が残存して当該ケース部材が再使用できない状態となっても、封印シールを破断するためのシールカバー部材が無傷の状態で再使用可能であると、封印シールさえ真正品と外観上そっくりに複写した偽造品にすり替えてしまえば、このシールカバー部材に、同一機種の他の基板ケースから取り出した無傷のケース部材を組み合わせることにより、新たな基板ケースを作り上げる、いわゆるニコイチ（２個１）と称される基板ケースの使い回しによって、外観上は開放前と同様の状態に復元されてしまう。これにより、制御基板が不正に改造されたとしても、偽造された封印シールに対してリーダ等による情報の読み取り検査等が実施されない限りにおいては、基板ケース自体は無傷のため、目視では不正の痕跡を判別できず、不正行為の発見が遅延するという課題があった。
【０００７】
本発明は、このような課題に鑑みてなされたものであり、制御基板に対する不正行為の予防及び早期発見を可能とする構成の基板ケースユニットを提供することを目的とする。
【課題を解決するための手段】
【０００８】
このような目的達成のために、本発明に係る基板ケースユニットは、第１ケース部材（例えば、実施形態におけるケース本体１２０）及びこの第１ケース部材に対して開閉可能に取り付けられる第２ケース部材（例えば、実施形態におけるケース蓋１３０）を備え、第１ケース部材に対して第２ケース部材を開閉移動方向における閉止方向に相対移動させて閉止状態で保持され、当該閉止状態で形成されるケース内部に制御基板を収容する基板ケースユニット（例えば、実施形態における主制御基板ケースユニット１００）であって、第１ケース部材に貼着されてケース内部に配設される封印シールと、封印シールが貼着された状態の第１ケース部材の所定位置に着脱自在に取り付けられて、第１ケース部材に対して第２ケース部材を開閉移動方向における開放方向に相対移動させて開放状態とするときに第１ケース部材から離間して第２ケース部材と協働して封印シールを破壊するシール破壊部材（例えば、実施形態における封印シールカッター１６０）とを備え、第１ケース部材は第１結合部（例えば、実施形態における本体側結合部１２４）を有し、第２ケース部材は第１ケース部材に第２ケース部材を閉止して取り付けたときに第１結合部に近接対向する第２結合部（例えば、実施形態における蓋側結合部１３４）を有し、シール破壊部材は第１ケース部材に第２ケース部材を閉止して取り付けたときに第１結合部と第２結合部との間に介装されて第１結合部と第２結合部とに固着される第３結合部（例えば、実施形態におけるカッター側結合部１６６）を有し、第１結合部は外部から破壊可能に形成されて当該第１結合部の上記固着部と第１ケース部材とを分断させ得る破壊部を有して構成される。なお、ここで規定する「固着」とは、溶着、接着等を含む概念である。
【発明の効果】
【０００９】
本発明によれば、基板ケースユニットの再使用を防止することで、不正行為の予防及び早期発見に寄与することが可能である。
【図面の簡単な説明】
【００１０】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】主制御基板ケースユニットのケース本体の斜視図である。
【図５】主制御基板ケースユニットのケース蓋の斜視図である。
【図６】主制御基板ケースユニットの封印シールの正面図である。
【図７】主制御基板ケースユニットの封印シールカッターの斜視図である。
【図８】ケース本体に封印シールを貼着する前の状態を示す斜視図である。
【図９】ケース本体に封印シールカッターを装着する前の状態を示す斜視図である。
【図１０】ケース本体にケース蓋を取り付ける前の状態を示す斜視図である。
【図１１】ケース本体にケース蓋を重ね合わせた状態の封印構造を示し、（ａ）は斜視図、（ｂ）は断面図である。
【図１２】ケース本体にケース蓋を閉止させて取り付けた状態の主制御基板ケースユニット１００を示し、（ａ）は後方から見た斜視図、（ｂ）は前方から見た斜視図である。
【図１３】ケース本体にケース蓋を閉止させて取り付けた状態の封印構造を示し、（ａ）は斜視図、（ｂ）は断面図である。
【図１４】超音波溶着工程を説明するための模式図である。
【図１５】（ａ）は主制御基板ケースユニットを背面側から見た斜視図、（ｂ）はケース本体の破壊部を破断して本体側溶着部を分離するときの様子を示す斜視図である。
【図１６】ケース本体に対してケース蓋を開放方向にスライド移動させた状態を示す斜視図である。
【図１７】ケース本体に対してケース蓋を開放方向にスライド移動させた状態の封印構造を示し、（ａ）は斜視図、（ｂ）は断面図である。
【図１８】ケース本体に対してケース蓋を開放させた状態を示す斜視図である。
【発明を実施するための形態】
【００１１】
以下、本発明の好ましい実施形態について図面を参照して説明する。本実施形態に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１２】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１３】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１４】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１５】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１６】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板４１及び演出制御基板４２が裏セットカバー３０Ｃにより覆われる）。
【００１７】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１８】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１９】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００２０】
［主制御基板ケースユニットの構成］
次に、本実施形態に係る主制御基板ケースユニット１００について図３〜図７を追加参照して説明する。なお、以降の説明においては、説明の便宜のため、上下及び左右前後の方向は、ぱちんこ遊技機ＰＭへの取付状態での方向として、図３の状態を基準にして定義しており、図３に示す矢印の方向をそれぞれ前後、左右、上下と称して説明する。
【００２１】
ここで、図３は主制御基板ケースユニット１００の分解斜視図、図４は主制御基板ケースユニット１００のケース本体の斜視図、図５は主制御基板ケースユニット１００のケース蓋の斜視図、図６は主制御基板ケースユニット１００の封印シールの正面図、図７は主制御基板ケースユニット１００の封印シールカッターの斜視図である。
【００２２】
主制御基板ケースユニット１００は、ぱちんこ遊技機ＰＭにおける制御の中枢を担う前述の主制御基板４１と、主制御基板４１を内部に収容する基板ケース１１０と、を主体として構成されている。
【００２３】
主制御基板４１は、詳細図示を省略しているが、矩形形状のプリント配線板を基板として種々の半導体デバイスや抵抗、コンデンサ、コネクタ等の電子・電気部品が実装されて構成されている。この主制御基板３１は、基板ケース１１０の内面側にビス止め固定される。
【００２４】
基板ケース１１０は、遊技盤１０の背面に着脱されるケース本体１２０と、このケース本体１２０に着脱自在に取り付けられるケース蓋１３０とを備えて構成されており、ケース本体１２０にケース蓋１３０を装着した閉止状態で前後整合するケース右端部及び左端部に、詳細後述するカシメ構造及び封印構造が設けられている。ケース本体１２０及びケース蓋１３０は、透明な樹脂材料（例えば、熱可塑性樹脂）を用いて射出成形等の成形手段により形成され、外部からでも基板ケース１１０内を視認可能となっている。
【００２５】
ケース本体１２０は、後面側に開口を有する矩形箱状に形成された本体側基部１２１と、本体側基部１２１の右端部に一体的に形成された本体側カシメ部１２２と、本体側基部１２１の左端部に一体的に形成された本体側封印部１２３と、を有している。本体側基部１２１の上下の側壁１２１ａには、底部１２１ｂからそれぞれ後方に突出する本体側スライド係合部１２１ｃが左右方向に並んで複数形成されている。
【００２６】
ケース蓋１３０は、前面側に開口を有する矩形箱状に形成された蓋側基部１３１と、蓋側基部１３１の右端部に連結部１３２ｂを介して一体的に繋がる蓋側カシメ部１３２と、蓋側基部１３１の左端部に一体的に形成された蓋側封印部１３３と、を有しており、ケース本体１２０に対して左右方向にスライド移動可能に構成されている。蓋側基部１３１の上下の側壁１３１ａには、この側壁１３１ａが延びる長手方向（左右方向）に沿って前面側に開口してケース本体１２０の本体側スライド係合部１２１ｃを受容可能な凹溝状の蓋側溝部１３１ｂが形成されるとともに、この蓋側溝部１３１ｂ内においてケース本体１２０の本体側スライド係合部１２１ｃと係合可能な蓋側スライド係合部１３１ｃが形成されている。蓋側スライド係合部１３１ｃは、本体側スライド係合部１２１ｃと同じ数だけ形成され、その配置間隔も本体側スライド係合部１２１ｃと対応している。ケース蓋１３０には、主制御基板４１のコネクタ（図示省略）の実装位置に対応して表裏貫通するコネクタ挿抜口１３１ｄが形成されており、主制御基板４１が基板ケース１１０に取り付けられた状態で、主制御基板４１のコネクタがコネクタ挿抜口１３１ｄを通して外部に露出し、演出制御基板４２や払出制御基板４３等とハーネス（コネクタケーブル）を介して電気接続可能となる。
【００２７】
ケース本体１２０に対してケース蓋１３０を取り付けるには、ケース本体１２０に対してケース蓋１３０を左右方向にずらした状態で前後に対向させて、ケース蓋１３０の蓋側溝部１３１ｂにケース本体１２０の本体側スライド係合部１２１ｃを挿入し、ケース本体１２０に対してケース蓋１３０を右方向（以下において「閉止方向」とも称する）にスライド移動させることにより、本体側スライド係合部１２１ｃと蓋側スライド係合部１３１ｃとを係合させる。これによりケース蓋１３０がケース本体１２０に対して閉止状態で取り付けられる。そして、このようにして前後に重なる本体側カシメ部１２２と蓋側カシメ部１３２にカシメ構造が設けられている。
【００２８】
カシメ構造は、従来から知られている構成であり、種々の構成が適宜採用されているが、本実施形態では、図３等に示されているように、ケース本体１２０の本体側基部１２１の右端に形成された本体側カシメ部１２２と、ケース蓋１３０の蓋側基部１３１の右端に形成された蓋側カシメ部１３２と、本体側カシメ部１２２と蓋側カシメ部１３２とを連結するためのカシメ部材１４０とを有して構成されている。
【００２９】
本体側カシメ部１２２は、後方に向けて開口する本体側ロック孔１２２ａを有している。蓋側カシメ部１３２は、本体側ロック孔１２２ａと前後に整合する位置に表裏貫通して形成された蓋側ロック孔１３２ａを有している。カシメ部材１４０は、前後に延びる軸部１４１と、この軸部１４１よりも大径の円盤状に形成された操作部１４２と、軸部１４１に凹設されたピン収容孔（図示省略）内に設けられて軸部１４１の中心軸と直交する方向に進退自在に支持された円筒状のロックピン１４３とを有している。ロックピン１４３は、ピン収容孔内に設けられたバネ（図示省略）の反発力によってピン先端部が軸部１４１の外方に突出するよう付勢配設されている。
【００３０】
このようなカシメ構造を利用して基板ケース１１０を閉止状態でロック保持するには、前述したようにケース蓋１３０をケース本体１２０に対してスライド装着し、本体側カシメ部１２２と蓋側カシメ部１３２とを前後に対向して重ね合わせた状態で、カシメ部材１４０の軸部１４１を本体側ロック孔１２２ａ及び蓋側ロック孔１３２ａに跨るように挿入して、カシメ部材１４０のロックピン１４３と本体側ロック孔１２２ａとを係合される。カシメ部材１４０は、ロックピン１４３と本体側ロック孔１２２ａとの係合によって後方（抜去方向）への移動が規制されたロック位置に保持される。
【００３１】
こうしてカシメ部材１４０の軸部１４１が本体側ロック孔１２２ａ及び蓋側ロック孔１３２ａに挿入されてロック位置に保持されると、ケース蓋１３０がケース本体１２０に対して左右にスライド移動できなくなり、ケース本体１２０に対してケース蓋１３０が閉止状態で取り外し不能（開放不能）に連結される。なお、この状態から基板ケース１１０を開放するには、ケース蓋１３０の蓋側基部１３１と蓋側カシメ部１３２との間を繋ぐ連結部１３２ｂを切断し、本体側カシメ部１２２と係合連結した状態の蓋側カシメ部１３２を蓋側基部１３１から切り離せばよい。
【００３２】
しかしながら、近年では基板ケース１１０に対する不正行為が巧妙化する傾向にある（例えば、ニコイチと称される基板ケース１１０の使い回し）。そこで、基板ケース１１０の不正開放をより厳重に防止するために、基板ケース１１０にはカシメ構造と合わせて封印構造が設けられており、以下において本実施形態の封印構造について説明する。
【００３３】
封印構造は、ケース本体１２０の本体側基部１２１に一体的に繋がって形成された本体側封印部１２３と、本体側封印部１２３に貼着される封印シール１５０と、封印シール１５０を覆うように本体側封印部１２３に着脱自在に取り付けられる封印シールカッター１６０と、ケース蓋１３０の蓋側基部１３１に一体的に繋がって形成された蓋側封印部１３３と、を主体として構成される。本体側封印部１２３及び蓋側封印部１３３は、ケース本体１２０にケース蓋１３０が閉止された状態で前後に対向配置されるようになっており、この対向状態において本体側封印部１２２と蓋側封印部１３２との間に封印シール１５０及び封印シールカッター１６０が収容される。
【００３４】
本体側封印部１２３は、封印シール１５０が貼着される台座部１２３ａと、台座部１２３ａの上下に形成された一対の係合壁部１２３ｂと、を有している。台座部１２３ａにおけるコ字状に屈曲した外表面（左右側面及び後面）は、封印シール１５０を貼着するためのシール貼着面１２３ｃをなし、このシール貼着面１２３ｃを上下に分断するように３カ所のスリット１２３ｄが左右に延びて凹設されている。スリット１２３ｄは、左右側方及び後方に開口しており、封印シールカッター１６０（後述する破壊突起１６２）の移動を許容するための通過路となる。また、本体側封印部１２３の左端には、封印シールカッター１６０と溶着される本体側結合部１２４が設けられている。
【００３５】
本体側結合部１２４は、台座部１２３ａの左端に一体的に繋がって矩形平板状に形成されている。本体側結合部１２４には、複数のスリット１２４ｂがミシン目状に間欠的に配置されてなる破壊部１２４ａが打ち抜き加工等によって形成されており、この破壊部１２４ａよりも内側に位置して封印シールカッター１６０に溶着される本体側溶着部１２４ｃが区画形成されている。破壊部１２４ａは、本体側結合部の略中央に位置する本体側溶着部１２４ｃの周囲をコ字状に取り囲むように形成されており、本体側溶着部１２４ｃをケース本体１２０の他の部分から区分している。本体側結合部１２４は、破壊部１２４ａがスリット１２４ｂに沿って破断されることによって、本体側溶着部１２４ｃをケース本体１２０から分離可能に構成されている。
【００３６】
封印シール１５０は、図６に示すように、矩形状のシート部材１５１に、ＩＣタグ１５２及びこれに繋がるアンテナ線１５３が透明な樹脂フィルム１５４によって覆われた状態で貼り付けられて構成されており、紙製のシート部材１５１の表面には識別情報としてのシリアル番号（図示せず）がプリントされている。ＩＣタグ１５２はシート部材１５１の表面の略中央に配置され、アンテナ線１５３はシート部材１５１の一方の対角線に沿って配置されている。ＩＣタグ１５２は、ぱちんこ遊技機ＰＭに関する情報、主制御基板４１の識別情報等、種々の情報を記憶した非常に小さな電子素子であり、これに繋がって配設されたアンテナ線１５３を介して基板ケース１１０の外部からでもこれらの格納情報をリーダによって読み取り可能となっている。
【００３７】
シート部材１５１の外縁にはギザギザ状の切り込み１５１ａが規則的に形成され、このシート部材１５１を剥がす時に切り込み１５１ａの谷部に応力集中が生じて破断され易いように構成されている。一方、樹脂フィルム１５４の外周には、直線状の切り込み１５４ａが規則的に形成され、封印シール１５０が剥がされたときに、この切り込み１５４ａに沿って樹脂フィルム１５４と共にアンテナ線１５３が破断され易く、これにより情報送信が不能となるように構成されている。
【００３８】
封印シールカッター１６０は、有色透明な合成樹脂材料（例えば、熱可塑性樹脂）を用いて射出成形等の成形手段により形成されており、基板ケース１１０の閉止状態においては封印シール１５０を覆って保護（シールカバー部材として機能）する一方、基板ケース１１０の開放時には封印シール１５０を再生不能な程度にまで破壊する機能を備えている。封印シールカッター１６０は、図７に示すように、互いに直交する後壁１６１ａ及び左壁１６１ｂからなり台座部１２３ａに貼着された封印シール１５０を後方及び左方において覆う保護カバー部１６１と、保護カバー部１６１の後壁１６１ａの内面側に形成された３カ所の破壊突起１６２と、後壁１６１ａの外面側に突出形成された一対の係止突起１６３と、本体側封印部１２３の係合壁部１２３ｂと係合可能な一対の係合爪１６４と、後述する蓋側封印部１３３の係合アームと係合可能な一対の係合爪１６５と、を有している。
【００３９】
封印シールカッター１６０は、ケース本体１２０の本体側封印部１２３に対して前後方向及び左右方向に着脱可能に構成されている。ここで、封印シールカッター１６０を前後方向に移動させて本体側封印部１２３に着脱するときは、破断突起１６２と封印シール１５０とは左右方向にずれていて接触しないため（図１１を参照）、破断突起１６２によって封印シール１５０が破断されることはない。すなわち、封印シール１５０を何ら破壊せずに封印シールカッター１６０を本体側封印部１２０に着脱することができる。一方、封印シールカッター１６０を左右方向に移動させて本体側封印部１２３に着脱するときは、該左右方向から見て破断突起１６２と封印シール１５０とは重なっているため（図１３を参照）、破断突起１６２が封印シール１５０に接触してこれを破断することとなる。すなわち、詳細後述するが、基板ケース１１０の開閉の際に、ケース蓋１３０と共に封印シールカッター１６０をケース本体１２０に対して左右方向（開放方向及び閉止方向）にスライド移動させたときには、封印シールカッター１６０によって封印シール１５０が破壊される。
【００４０】
保護カバー部１６１の左端には、本体側封印部１２３及び蓋側封印部１３３と溶着されるカッター側結合部１６６が設けられている。カッター側結合部１６６は、保護カバー部１６１の左壁１６１ｂに一体的に繋がって形成されている。カッター側結合部１６６は、本体側結合部１２４よりも上下方向の幅（長辺）が僅かに小さく形成された矩形平板状に形成されている。カッター側結合部１６６は、封印シールカッター１６０がケース本体１２０の本体側封印部１２３に係合装着されたときに、本体側結合部１２４と前後に重合する。
【００４１】
蓋側封印部１３３は、図５に示すように、蓋側基部１３１と連なって前方が開放した略矩形箱状に形成された収容部１３３ａと、収容部１３３ａの内面側に凹設された一対の係止溝１３３ｂと、収容部１３３ａの内面側に突出形成された一対の係合アーム１３３ｃと、を有している。係止溝１３３ｂは封印シールカッター１６０の係止突起１６３と係合可能であり、係合アーム１３３ｃは封印シールカッター１６０の係合爪１６５と係合可能である。そのため、ケース本体１２０にケース蓋１３０を閉止させて、本体側封印部１２３及び封印シールカッター１６０に対して蓋側封印部１３３を前後に重合させたとき、封印シールカッター１６０の係止突起１６３及び係合爪１６５が蓋側封印部１３３の係止溝１３３ｂ及び係合アーム１３３ｃにそれぞれ係合するため、このケース閉止状態から、ケース蓋１３０をケース本体１２０に対して左方（以下において「開放方向」とも称する）にスライド移動させると、本体側封印部１２３に係合されていた（仮止めされていた）封印シールカッター１６０がこの本体側封印部１２３から離間して互いに係合関係にある蓋側封印部１３３（ケース蓋１３０）と共に一体的に移動するように構成されている。
【００４２】
蓋側封印部１３３の左端には、封印シールカッター１６０と溶着される蓋側結合部１３４が設けられている。蓋側結合部１３４は、収容部１３３ａの左端に一体的に繋がって形成されている。蓋側結合部１３４は、本体側結合部１２４及びカッター側結合部１６６と対向する前面側に開口を有する矩形箱状をなし、この蓋側結合部１３４の内部に本体側結合部１２４及びカッター側結合部１６６が収まる大きさの収容空間１３４ａが形成される。蓋側結合部１３４の内面には、封印シールカッター１６０に溶着される蓋側溶着部１３４ｃが区画形成される。ケース本体１２０にケース蓋１３０を閉止させて、前方から順番に、本体側結合部１２４、カッター側結合部１６６、蓋側結合部１３４が前後に重合した状態で、本体側結合部１２４の本体側溶着部１２４ｃとカッター側結合部１６６の前面とが面合わせされるとともに、カッター側結合部１６６の後面と蓋側結合部１３４の蓋側溶着部１３４ｃとが面合わせされ、これら三つの結合部１２４，１６６，１３４が詳細後述する溶着手段によって一体的に溶着固定される。
【００４３】
［主制御基板ケースユニットの作用］
次に、このように構成される封印構造において、基板ケース１１０を閉止するときの作用を説明する。ここで、図８はケース本体１２０に封印シール１５０を貼着する前の状態を示す斜視図、図９はケース本体１２０に封印シールカッター１６０を装着する前の状態を示す斜視図、図１０はケース本体１２０にケース蓋１３０を取り付ける前の状態を示す斜視図、図１１（ａ）はケース本体１２０にケース蓋１３０を重ね合わせた状態の封印構造の斜視図、図１１（ｂ）はケース本体１２０にケース蓋１３０を重ね合わせた状態の封印構造の断面図、図１２（ａ）はケース本体１２０にケース蓋１３０を閉止させて取り付けた状態の主制御基板ケースユニット１００を後方から見た斜視図、図１２（ｂ）はケース本体１２０にケース蓋１３０を閉止させて取り付けた状態の主制御基板ケースユニット１００を前方から見た斜視図、図１３（ａ）はケース本体１２０にケース蓋１３０を閉止させて取り付けた状態の封印構造の斜視図、図１３（ｂ）はケース本体１２０にケース蓋１３０を閉止させて取り付けた状態の封印構造の断面図、図１４は超音波溶着工程を説明するための模式図である。なお、図８〜図１４においては、主制御基板４１及びカシメ部材１４０の図示を省略している。
【００４４】
まず、ケース本体１２０にケース蓋１３０を取り付けるときは、図８に示すように、前もって、ケース本体１２０のシール貼着面１２３ｃに封印シール１５０をコ字状に折り曲げるようにして貼着する。台座部１２３ａのコ字状に屈曲するシール貼着面１２３ｃは、封印シール１５０に合わせた大きさに形成されており、このシール貼着面１２３ｃに合わせて封印シール１５０を貼着することで、封印シール１５０によって３カ所のスリット１２３ｄの開口全体が覆われて、封印シール１５０のアンテナ線１５３が３カ所のスリット１２３ｄ上を横断するように配置される。
【００４５】
図９に示すように、封印シール１５０が貼着された本体側封印部１２３の前方に封印シールカッター１６０を位置合わせした体勢とし、この体勢を維持したまま封印シールカッター１６０を前方に移動させてケース本体１２０の本体側封印部１２３に組み付ける。このとき、封印シールカッター１６０の係合爪１６４と本体側封印部１２３の係合壁部１２３ｂとが係合することで、封印シールカッター１６０がケース本体１２０に仮止めされる。また、このように封印シールカッター１６０がケース本体１２０に組み付けられると、封印シールカッター１６０のカッター側結合部１６６とケース本体１２０の本体側結合部１２４とが前後に重なり合う。なお、上記のように封印シールカッター１６０をケース本体１２０に組み付けるとき、封印シールカッター１６０の破壊突起１６２とケース本体１２０に貼着された封印シール１５０とは左右方向にずれているため、破壊突起１６２が封印シール１５０に接触することはない。
【００４６】
続いて、ケース本体１２０へのケース蓋１３０の取り付けは、図１０及び図１１に示すように、ケース蓋１３０をケース本体１２０に対して左方に若干ずらした位置で重なり合わせ、この状態からケース蓋１３０を右方向（閉止方向）にスライド移動させて行う。
【００４７】
そして、図１２に示すように、ケース本体１２０にケース蓋１３０を閉止して取り付けたとき、本体側カシメ部１２２（本体側ロック孔１２２ａ）と蓋側カシメ部１３２（蓋側ロック孔１３２ａ）とが前後に重なり合い、この状態で、カシメ部材１４０を蓋側ロック孔１３２ａ及び本体側ロック孔１２２ａに跨るように挿入することで、このロック部材１４０を介して本体側カシメ部１２２と蓋側カシメ部１３２とが係合し、ケース蓋１３０がケース本体１２０に（連結部１３２ｂを切り離さないかぎりは）開放不能に装着される。このとき、封印構造においては、封印シールカッター１６０の係止突起１６３が蓋側封印部１３３の係止溝１３３ｂと係合するとともに、封印シールカッター１６０の係合爪１６５が蓋側封印部１３３の係合アーム１３３ｃと係合し、封印シールカッター１６０とケース蓋１３０とが連結される。
【００４８】
またこのとき、図１３に示すように、本体側結合部１２４及びカッター側結合部１６６が一体となって蓋側結合部１３４の収容空間１３４ａに受容され、本体側結合部１２４、カッター側結合部１６６及び蓋側結合部１３４が前後に重なり合うこととなる。この重合状態で、本体側結合部１２４、カッター側結合部１６６及び蓋側結合部１３４の三つの結合部を超音波溶着する。超音波溶着では、図１４に示すように、前後に重合状態の三つの結合部１２４，１３４，１６６に超音波振動と同時に加圧力を加えることで、これら結合部１２４，１３４，１６６を溶融し接合させる。なお、図１４では、三つの結合部を同時に溶着した場合を例示しているが、これに限定されるものではなく、本体側結合部１２４及びカッター側結合部１６６の組、蓋側結合部１３４及びカッター側結合部１６６の組、をそれぞれ別々に溶着してもよいものである。
【００４９】
このように基板ケース１１０が閉止状態に保持されると、基板ケース１１０内に収容された主制御基板４１への外部からのアクセスは困難である。ここで、封印シール１５０は、前述のように、ＩＣタグ１５２及びアンテナ線１５３を実装しており、基板ケース１１０の内部に保持された状態のままで、ＩＣタグ１５２に格納された各種情報（例えば、ぱちんこ遊技機ＰＭに関する情報、主制御基板４１の識別情報等）を、基板ケース１１０を開放することなくリーダによって外部から読み取り可能である。
【００５０】
また、基板ケース１１０が閉止状態に保持され、本体側結合部１２４、カッター側結合部１６６及び蓋側結合部１３４が溶着結合された状態では、薄板状の本体側結合部１２４及びカッター側結合部１６６は容器状の蓋側結合部１３４に受容されて覆われているため、各結合部間にドライバー等の工具を挿入して結合部同士の溶着を剥がすことは困難である。
【００５１】
次に、本実施形態に係る封印構造において、基板ケース１１０を開放するときの作用を説明する。ここで、図１５（ａ）は主制御基板ケースユニット１００を背面側から見た斜視図、図１５（ｂ）はケース本体１２０の破壊部１２４ａを破断して本体側溶着部１２４ｃを分離するときの様子を示す斜視図、図１６はケース本体１２０に対してケース蓋１３０を開放方向にスライド移動させた状態を示す斜視図、図１７（ａ）はケース本体１２０に対してケース蓋１３０を開放方向にスライド移動させた状態の封印構造の斜視図、図１７（ｂ）はケース本体１２０に対してケース蓋１３０を開放方向にスライド移動させた状態の封印構造の断面図、図１８はケース本体１２０に対してケース蓋１３０を開放させた状態を示す斜視図である。なお、図１５〜図１８においては、主制御基板４１及びカシメ部材１４０の図示を省略している。
【００５２】
まず、基板ケース１１０を開放するには、カシメ構造における蓋側カシメ部１３２と蓋側基部１３１との間を繋ぐ連結部１３２ｂをニッパ等の工具を用いて切断し、カシメ部材１４０を介して本体側カシメ部１２２と係合連結された状態の蓋側カシメ部１３２をケース蓋１３０から切り離す。さらに、図１５に示すように、封印構造における本体側溶着部１２４ｃを区画形成する破壊部１２４ａをニッパ等の工具を用いてスリット１２４ｂに沿って破断し、カッター側結合部１６６及び蓋側結合部１３４ｃと溶着された状態の本体側結合部１２４ｃをケース本体１２０から切り離す。これにより、ケース本体１２０とケース蓋１３０との連結は絶たれ、基板ケース１１０が開放可能な状態となる。
【００５３】
ケース本体１２０に対してケース蓋１３０を開放する前の状態では、図１３等に示すように、封印シールカッター１６０の破壊突起１６２は封印シール１５０と接触しておらず所定距離をあけて近接対向している。前述したように、ケース蓋１３０と封印シールカッター１６０とは一体的に結合（係合及び溶着）しているため、この状態からケース蓋１３０を左方向（開放方向）にスライド移動させると、ケース蓋１３０と共に封印シールカッター１６０も一体となって開放方向に移動する。また、上述したように、本体側結合部１２４の破壊部１２４ａを破断してケース本体１２０から本体側溶着部１２４ｃを切り離しているため、本体側結合部１２４のうち、本体側溶着部１２４ｃはケース本体１２０から分離してケース蓋１３０及び封印シールカッター１６０と一体となって移動する。他方、本体側結合部１２４のうち、破壊部１２４ａよりも外側部分１２４ｄ（図１８を参照）は、本体側結合部１２４を破断した痕跡としてケース本体１２０に残留する。
【００５４】
ここで、ケース本体１２０の本体側封印部１２３に形成されたスリット１２３ｄは、封印シールカッター１６０の破壊突起１６２の移動軌跡に対応して凹設され、このスリット１２３ｄを横断するようにして封印シール１５０がシール貼着面１２３ｃに設けられているので、ケース蓋１３０と共に封印シールカッター１６０をスライド移動させると、破壊突起１６２が封印シール１５０に接触して当該スライド方向に沿って封印シール１５０を破断しながらスリット１２３ｄ内を通過することとなる。このように封印シール１５０を切り裂けば、ＩＣタグ１５２そのものを破壊できなくても、アンテナ線１５３を破壊することができ、ＩＣタグ１５２に格納された各種情報が実質的に読み取り不能になるため、これにより不正アクセスの痕跡を残存させることができるとともに、封印シール１５０を再生不能な程度に破壊する（再使用できなくする）ことができる。
【００５５】
そして、ケース蓋１３０と共に封印シールカッター１６０をそのまま開放方向にスライド移動させれば、破壊突起１６２が封印シール１５０を完全に破断してスリット１２３ｄの開放端から脱出し、ケース本体１２０の本体側スライド係合部１２１ｃがケース蓋１３０の蓋側溝部１３１ｂから抜去される所定位置まで到達したところで、ケース蓋１３０を後方に移動させれば、ケース本体１２０からケース蓋１３０が取り外される。
【００５６】
こうして取り外されたケース蓋１３０には、封印シールカッター１６０が溶着されて一体的に結合されており、この結合状態のケース蓋１３０及び封印シールカッター１６０を何ら破損させずに互いに分離させるのは困難であるため、ケース蓋１３０及び封印シールカッター１６０を無傷の状態で再使用できなくすることが可能である。
【００５７】
以上、本実施形態に係る主制御基板ケースユニット１００では、基板ケース１１０を開放したときに、ケース本体１２０には本体側結合部１２４の破壊部１２４ａが破断されたことによる痕跡が残存し、封印シール１５０には封印シールカッター１６０により切り裂かれた痕跡が残存し、ケース蓋１３０及び封印シールカッター１６０は溶着結合して互いに分離できない状態（無理やり分離させても溶着の痕が残存する）であるため、この主制御基板ケースユニット１００の構成部品たる、ケース本体１２０、ケース蓋１３０、封印シールカッター１６０及び封印シール１５０の何れについても痕跡を残さず無傷の状態で再使用することは困難であり、ニコイチ（２個１）と称される不正な組立行為を確実に抑止することが可能である。従って、本実施形態によれば、不正行為の予防及び早期発見に寄与することが可能であるという効果を奏する。
【００５８】
また、本実施形態に係る主制御基板ケースユニット１００では、封印シールカッター１３０を左右方向（閉止方向及び開放方向）にスライド移動させて本体側封印部１２３に着脱する場合には、本体側封印部１２３に貼着された封印シール１５０を破断するように構成されている。そのため、上記のように一度開放した基板ケース１１０の再使用に際して、封印シール１５０をコピーした偽造品を用いるとともに、ケース蓋１３０及び封印シールカッター１６０を互いに分離させず結合状態（溶着状態）でケース本体１２０に再度組み付けようとした場合には、ケース本体１２０に対してケース蓋１３０及び封印シールカッター１６０を閉止方向にスライド移動させたときに、封印シールカッター１６０が偽造品を破壊して必ずその痕跡が残存するようになっているため、ケース蓋１３０及び封印シールカッター１６０を互いに分離させずに一体として組み付けることはできず、ニコイチ（２個１）と称される不正な組立行為をより確実に防止することが可能である。
【００５９】
また、本実施形態に係る主制御基板ケースユニット１００では、本体側結合部１２４及びカッター側結合部１６６はそれぞれ矩形薄板状に形成され、蓋側結合部１３４は基板ケース１１０の閉止状態において本体側結合部１２４及びカッター側結合部１６６と対向する側に開口してこれら結合部を受容可能な矩形箱状に形成されることで、蓋側結合部１３４とカッター結合部１６６との間に（或いは本体側結合部１２４とカッター側結合部１６６との間に）ドライバー等の工具を挿入して結合部同士の固着を容易に分離させることができなくなるため、ケース本体１２０、ケース蓋１３０及び封印シールカッター１６０の不正な再使用をより厳重に防止することが可能となる。
【００６０】
なお、本発明は、上記実施形態に限定されるものではなく、本発明の要旨を逸脱しない範囲であれば適宜改良可能である。
【００６１】
上述の実施形態では、ケース本体１２０、ケース蓋１３０及び封印シールカッター１６０を超音波溶着により結合させた場合を例示して説明したが、これに限定されるものではなく、熱溶着、高周波溶着、スピン溶着、レーザ溶着等の他の溶着工法を利用してもよい。また、溶着工法に限定されず、例えばフェノール樹脂系やエポキシ系、エチレン系の接着剤等を用いてケース本体１２０、ケース蓋１３０及び封印シールカッター１６０を接着により結合させてもよい。
【００６２】
また、上述の実施形態では、本体側結合部１２４、蓋側結合部１３４及びカッター側結合部１６６を、基板ケース１１０が閉止状態となった後で溶着結合させているが、これに限定されるものではなく、まず始めに、ケース本体１２０に封印シールカッター１６０を装着した後に本体側結合部１２４とカッター側結合部１６６とを溶着結合し、次いで、ケース本体１２０に対してケース蓋１３０を閉止させて装着した後に蓋側結合部１３４とカッター側結合部１６６とを溶着結合してもよく、三つの結合部１２４，１３４，１６６を結合させる順番は適宜に変更可能である。
【００６３】
また、上述の実施形態では、封印シールとして、ＩＣタグ及びアンテナ線を備えたＩＣタグ封印シールを例示して説明したが、これに限定されるものではなく、ＩＣタグ及びアンテナ線を備えていない封印シールを用いてもよい。
【００６４】
また、上述の実施形態では、ケース本体に対してケース蓋をスライド移動させて着脱するスライド開閉型の基板ケースを例示して説明したが、これに限定されるものではなく、ケース本体に対してケース蓋をヒンジ軸を中心として揺動させて着脱するヒンジ開閉型の基板ケースに適用してもよい。
【００６５】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００６６】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ケース本体(第１ケース)
１２３  本体側封印部
１２４  本体側結合部（第１結合部）
１２４ａ  破壊部
１２４ｃ  本体側溶着部（固着部）
１３０  ケース蓋（第２ケース）
１３３  蓋側封印部
１３４  蓋側結合部（第２結合部）
１３４ｃ  蓋側溶着部
１５０  封印シール
１６０  封印シールカッター（シール破壊部材）
１６６  カッター側結合部（第３結合部）
【図１】
2014000109.tif 000003
【図２】
2014000109.tif 000004
【図３】
2014000109.tif 000005
【図４】
2014000109.tif 000006
【図５】
2014000109.tif 000007
【図６】
2014000109.tif 000008
【図７】
2014000109.tif 000009
【図８】
2014000109.tif 000010
【図９】
2014000109.tif 000011
【図１０】
2014000109.tif 000012
【図１１】
2014000109.tif 000013
【図１２】
2014000109.tif 000014
【図１３】
2014000109.tif 000015
【図１４】
2014000109.tif 000016
【図１５】
2014000109.tif 000017
【図１６】
2014000109.tif 000018
【図１７】
2014000109.tif 000019
【図１８】
2014000109.tif 000020